(57)【特許請求の範囲】
【請求項１】
換気窓を備えた温室内に配置されるカーテンと、前記カーテンを開閉動作させるカーテン用駆動機構とを備えた温室用カーテン開閉装置であって、
温室外気象を観測する外気象センサの風観測データに基づいて、前記カーテン用駆動機構を制御し、前記カーテンの開閉動作を規制する制御手段を備えており、
前記制御手段は、
前記外気象センサで測定された風観測データの風速が設定値以上か否かを判定する風速判定手段と、
前記風速判定手段において、前記風速が予め設定された設定値以上と判定されると、この設定値以上の風速の継続時間を測定する時間測定手段と、
前記時間測定手段により、前記継続時間が、予め設定された設定時間を経過したと判定された場合に、前記カーテン用駆動機構の駆動を制御する駆動機構制御手段と
を有することを特徴とする温室用カーテン開閉装置。
【請求項２】
前記駆動機構制御手段は、前記カーテンをその開閉位置に拘わらず停止させるように前記カーテン用駆動機構を制御する手段を含む請求項１記載の温室用カーテン開閉装置。
【請求項３】
前記時間測定手段は、前記駆動機構制御手段によって前記カーテンを停止させるための信号が出力されたならば、その停止時間を測定する機能を有し、
前記駆動機構制御手段は、前記時間測定手段により測定される前記カーテンの停止時間が予め設定された設定停止時間を経過したと判定された場合に、前記風速判定手段による風速の判定を再度行わせるように制御する請求項２記載の温室用カーテン開閉装置。
【請求項４】
前記駆動機構制御手段は、前記風速判定手段により、風速が設定値未満と判定されたならば、前記カーテンの開閉動作を再開するように制御し、設定値以上の風速と判定された場合には、そのまま前記カーテンの開閉動作の停止を継続させる請求項３記載の温室用カーテン開閉装置。
【請求項５】
前記駆動機構制御手段は、前記時間測定手段により測定される前記設定値以上の風速の継続時間が、前記設定時間に至った場合に、前記換気窓を所定の制限開度とするように前記換気窓用の駆動機構を制御する手段を含む請求項１〜４のいずれか１に記載の温室用カーテン開閉装置。
【請求項６】
換気窓を備えた温室内に配置されるカーテンを開閉動作させるカーテン用駆動機構とを備えた温室用カーテン開閉装置に設けられ、前記カーテン用駆動機構の駆動を制御する制御手段として機能するコンピュータに、
温室外気象を観測する外気象センサの風観測データに基づいて、前記カーテン用駆動機構を制御し、前記カーテンの開閉動作を規制する制御手順を実行させるコンピュータープログラムであって、
前記制御手順は、
前記外気象センサで測定された風観測データの風速が設定値以上か否かを判定する風速判定手順と、
前記風速判定手順において、前記風速が予め設定された設定値以上と判定されると、この設定値以上の風速の継続時間を測定する時間測定手順と、
前記時間測定手順により、前記継続時間が、予め設定された設定時間を経過したと判定された場合に、前記カーテン用駆動機構の駆動を制御する駆動機構制御手順と
を前記コンピュータに実行させることを特徴とするコンピュータープログラム。
【請求項７】
前記駆動機構制御手順は、前記カーテンをその開閉位置に拘わらず停止させるように前記カーテン用駆動機構を制御する手順を前記コンピュータに実行させる請求項６記載のコンピュータープログラム。
【請求項８】
前記時間測定手順は、前記駆動機構制御手順によって前記カーテンを停止させるための信号が出力されたならば、その停止時間を測定する機能を有し、
前記駆動機構制御手順は、前記時間測定手順により測定される前記カーテンの停止時間が予め設定された設定停止時間を経過したと判定された場合に、前記風速判定手順による風速の判定を再度行わせる手順を前記コンピュータに実行させる請求項７記載のコンピュータプログラム。
【請求項９】
前記駆動機構制御手順は、前記風速判定手順により、風速が設定値未満と判定されたならば、前記カーテンの開閉動作を再開するように制御し、設定値以上の風速と判定された場合には、そのまま前記カーテンの開閉動作の停止を継続させるように制御する手順を前記コンピュータに実行させる請求項８記載のコンピュータープログラム。
【請求項１０】
前記駆動機構制御手順は、前記時間測定手順により測定される前記設定値以上の風速の継続時間が、前記設定時間に至った場合に、前記換気窓を所定の制限開度とするように前記換気窓用の駆動機構を制御する手順を前記コンピュータに実行させる請求項６〜９のいずれか１に記載のコンピュータープログラム。
【発明の詳細な説明】
【技術分野】
【０００１】
本発明は、温室内において所定高さに配置されるカーテンを開閉して、温室内上方空間を仕切り、保温効果、遮光効果などを得るために用いられる温室用カーテン開閉装置及びコンピュータープログラムに関する。
【背景技術】
【０００２】
特許文献１及び２には、プラスチックフィルム等からなる保温用、遮光用のカーテンを、温室内の上方空間に配置し、これを開閉することにより、室内温度等を調整する温室用カーテン開閉装置が開示されている。カーテンは、通常、基端縁が固定され、その反対側の端縁（先端縁）に先導パイプが連結され、カーテンの開閉方向に沿って配設した駆動ロープをこの先導パイプに連結している。駆動ロープは、適宜数のプーリに掛け回されており、モータの駆動によってプーリ間を動くようになっている。このモータ及び駆動ロープによって駆動機構が構成され、カーテンを閉じる際には、モータの駆動によって駆動ロープを一方向に動かして先導パイプでカーテンを牽引して展開し、カーテンを開ける際には、モータの駆動によって駆動ロープを逆方向に動かして、先導パイプによってカーテンを寄せ集めて開放する。
【０００３】
一方、特許文献３では、イチゴ栽培ハウス内の温度、日射量、湿度を検出するセンサ群と、イチゴ栽培ハウス外の外気温、日射量、降雨量、風向、風速を検出するセンサ群を用い、これらのセンサの検出データに基づいて、暖房機、遮光カーテンや保温カーテンの開閉機構、給水ポンプ、換気窓の開閉機構などの制御を、コントローラを介して行うことが開示されている。
【先行技術文献】
【特許文献】
【０００４】
【特許文献１】特開平１０−３０４７８０号公報
【特許文献２】特開２００２−２３８３７０号公報
【特許文献３】特開２０１１−１０１６３０号公報
【発明の概要】
【発明が解決しようとする課題】
【０００５】
特許文献３では、イチゴ栽培ハウス内の温度管理の精度を上げることを目的としており、例えば、夜間などの外気温が低いことが検出された場合には、保温カーテンをそれに応じて開閉制御し、日中、日差しが強い場合には、遮光カーテンを開閉制御することなどが開示されている。特許文献３は、このほか、例えば暖房機の制御方法、液体の噴霧の制御方法などが記載されているが、カーテン部材の制御に関しては、気温と日照条件に基づいた制御方法しか記載されていない。
【０００６】
しかしながら、温室の天井、側面あるいは妻面などに設けられている換気窓が開放されている際に、強い風が温室内に流入することにより、カーテンが煽られ、その状態で例えば特許文献３のように温度や日照条件に従ってカーテンの開閉動作を行うと、煽られたカーテンが駆動ロープに巻き込まれるなどして、温室用カーテン開閉装置やその他の機器に支障を来す場合がある。
【０００７】
本発明は上記に鑑みなされたものであり、強風が温室内に流入しても、カーテンが駆動ロープ等に巻き込まれ、それにより各種機器等に支障を来すことを防止できる温室用カーテン開閉装置及びコンピュータを該温室用カーテン開閉装置の制御手段として機能させるコンピュータープログラムに関する。
【課題を解決するための手段】
【０００８】
上記した課題を解決するため、本発明は、換気窓を備えた温室内に配置されるカーテンと、前記カーテンを開閉動作させるカーテン用駆動機構とを備えた温室用カーテン開閉装置であって、温室外気象を観測する外気象センサの風観測データに基づいて、前記カーテン用駆動機構を制御し、前記カーテンの開閉動作を規制する制御手段を備えていることを特徴とする温室用カーテン開閉装置を提供する。
【０００９】
前記制御手段は、前記外気象センサで測定された風観測データの風速が設定値以上か否かを判定する風速判定手段と、前記風速判定手段において、前記風速が予め設定された設定値以上と判定されると、この設定値以上の風速の継続時間を測定する時間測定手段と、前記時間測定手段により、前記継続時間が、予め設定された設定時間を経過したと判定された場合に、前記カーテン用駆動機構の駆動を制御する駆動機構制御手段とを有することが好ましい。
【００１０】
前記駆動機構制御手段は、前記カーテンをその開閉位置に拘わらず停止させるように前記カーテン用駆動機構を制御する手段を含むことが好ましい。前記時間測定手段は、前記駆動機構制御手段によって前記カーテンを停止させるための信号が出力されたならば、その停止時間を測定する機能を有し、前記駆動機構制御手段は、前記時間測定手段により測定される前記カーテンの停止時間が予め設定された設定停止時間を経過したと判定された場合に、前記風速判定手段による風速の判定を再度行わせるように制御する構成であることが好ましい。前記駆動機構制御手段は、前記風速判定手段により、風速が設定値未満と判定されたならば、前記カーテンの開閉動作を再開するように制御し、設定値以上の風速と判定された場合には、そのまま前記カーテンの開閉動作の停止を継続させる構成であることが好ましい。前記駆動機構制御手段は、前記時間測定手段により測定される前記設定値以上の風速の継続時間が、前記設定時間に至った場合に、前記換気窓を所定の制限開度とするように前記換気窓用の駆動機構を制御する手段を含むことが好ましい。
【００１１】
また、本発明は、換気窓を備えた温室内に配置されるカーテンを開閉動作させるカーテン用駆動機構とを備えた温室用カーテン開閉装置に設けられ、前記カーテン用駆動機構の駆動を制御する制御手段として機能するコンピュータに、温室外気象を観測する外気象センサの風観測データに基づいて、前記カーテン用駆動機構を制御し、前記カーテンの開閉動作を規制する制御手順を実行させることを特徴とするコンピュータープログラムを提供する。
【００１２】
前記制御手順は、前記外気象センサで測定された風観測データの風速が設定値以上か否かを判定する風速判定手順と、前記風速判定手順において、前記風速が予め設定された設定値以上と判定されると、この設定値以上の風速の継続時間を測定する時間測定手順と、前記時間測定手順により、前記継続時間が、予め設定された設定時間を経過したと判定された場合に、前記カーテン用駆動機構の駆動を制御する駆動機構制御手順とを前記コンピュータに実行させることが好ましい。
【００１３】
前記駆動機構制御手順は、前記カーテンをその開閉位置に拘わらず停止させるように前記カーテン用駆動機構を制御する手順を前記コンピュータに実行させることが好ましい。
前記時間測定手順は、前記駆動機構制御手順によって前記カーテンを停止させるための信号が出力されたならば、その停止時間を測定する機能を有し、前記駆動機構制御手順は、前記時間測定手順により測定される前記カーテンの停止時間が予め設定された設定停止時間を経過したと判定された場合に、前記風速判定手順による風速の判定を再度行わせる手順を前記コンピュータに実行させることが好ましい。前記駆動機構制御手順は、前記風速判定手順により、風速が設定値未満と判定されたならば、前記カーテンの開閉動作を再開するように制御し、設定値以上の風速と判定された場合には、そのまま前記カーテンの開閉動作の停止を継続させるように制御する手順を前記コンピュータに実行させることが好ましい。前記駆動機構制御手順は、前記時間測定手順により測定される前記設定値以上の風速の継続時間が、前記設定時間に至った場合に、前記換気窓を所定の制限開度とするように前記換気窓用の駆動機構を制御する手順を前記コンピュータに実行させることが好ましい。
【発明の効果】
【００１４】
本発明は、外気象センサで測定された温室外の風観測データの風速が設定値以上か否かを判定し、この温室外の風速に対応して、温室内に設置されたカーテンの開閉動作を制御する。温室内に設置されるカーテンは、通常、温室内の温度や日照条件等に従って開閉動作が制御されるが、本発明によれば、温室外で所定以上の風速の風が吹いている場合にも、速やかにカーテンの開閉動作を規制することができる。従って、温室外で吹く所定以上の風速の風が換気窓から流入したとしても、その風によってカーテンが煽られ、さらに、煽られたカーテンが駆動ロープに巻き込まれるなどして、温室用カーテン開閉装置その他の機器に支障を来すことを防ぐことができる。
【図面の簡単な説明】
【００１５】
【図１】図１は、本発明の一の実施形態に係る温室用カーテン開閉装置の先導パイプ付近を示した概略斜視図である。
【図２】図２は、上記実施形態の温室用カーテン開閉装置を採用した温室の概略構成を示した図であって、カーテン開放時の図である。
【図３】図３は、上記実施形態の温室用カーテン開閉装置を採用した温室の概略構成を示した図であって、カーテンを閉じた状態の図である。
【図４】図４は、上記実施形態に係る温室用カーテン開閉装置の制御手段の構成を模式的に示した図である。
【図５】図５は、上記実施形態に係る温室用カーテン開閉装置の制御手段の作用を説明するためのフローチャートである。
【発明を実施するための形態】
【００１６】
以下、図面に示した実施形態に基づき本発明をさらに詳細に説明する。まず、図１〜図３に示した本発明の一の実施形態に係る温室用カーテン開閉装置１００を例にとり、カーテン１１０，１２０の開閉動作の仕組みについて説明する。なお、本発明が適用可能なカーテン開閉装置は、この実施形態で説明するものに限定されるものではないことはもちろんである。
【００１７】
図１に示したように、温室用カーテン開閉装置１００は、カーテン１１０，１２０、棚線１３０、駆動ロープ１４０を有している。温室が、例えば図２に示したように、妻面方向から見て、頂部を中心として山形の形状をしている場合、棚線１３０は、一方の側部と頂部との間、頂部と他方の側部との間に掛け渡されている。そして、この棚線１３０に下面が支えられるように、カーテン１１０，１２０が配設される。本実施形態では、頂部を中心として、左右の各側部までの間をそれぞれ開閉するために、それぞれ２枚一対のカーテン１１０，１２０が配置されたいわゆる４枚張りタイプとなっている。
【００１８】
頂部を中心とした温室の一方側では、一方のカーテン１１０の基端縁が一方の側部付近に固定され、その反対側の端縁（先端縁）が頂部方向に向かうことができるようになっており、他方のカーテン１２０の基端縁が頂部付近に固定され、その反対側の端縁（先端縁）が一方の側部方向に向かうことができるようになっている。頂部を中心とした温室の他方側も同様であり、一方のカーテン１１０の基端縁が他方の側部付近に固定され、その反対側の端縁（先端縁）が頂部方向に向かうことができるようになっており、他方のカーテン１２０の基端縁が頂部付近に固定され、その反対側の端縁（先端縁）が他方の側部方向に向かうことができるようになっている。
【００１９】
一方のカーテン１１０の先端縁には第１の先導パイプ１１１が取り付けられ、他方のカーテン１２０の先端縁には第２の先導パイプ１２１が取り付けられている。具体的には、各先導パイプ１１１，１２１に各カーテン１１０，１２０の先端縁を被覆しあるいは巻き付け、その状態で、パッカーと称される合成樹脂製の略半管状部材１６０を、各カーテン１１０，１２０の外面に装着する。この略半環状部材１６０は、先導パイプ１１１，１２１にカーテン１１０，１２０の外面を被覆しあるいは巻き付けたときの外径よりも若干小さな内径で形成されており、装着した際には、各カーテン１１０，１２０の外面を各先導パイプ１１１，１２１方向に押さえつける方向に弾性が作用する。これにより、各カーテン１１０，１２０の先端縁が各先導パイプ１１１，１２１に固定される。
【００２０】
駆動ロープ１４０は、カーテン１１０，１２０間（本実施形態では、カーテン１１０の上方、カーテン１２０の下方）に配置され、各カーテン１１０，１２０の開閉方向である棚線１３０に沿って、温室の各側部付近、頂部付近に配置された複数の滑車部材を介して張設されている。そして、その適宜部位が各先導パイプ１１１，１２１に、駆動ロープ締結部品１５０を介して連結されている。すなわち、駆動ロープ締結部品１５０は、駆動ロープ１４０を連結する駆動ロープ連結部１５０ａと、駆動ロープ１４０の張設方向に直交する方向に沿って先導パイプ挿通部１５０ｂが設けられており、この先導パイプ挿通部１５０ａに先導パイプ１を挿通するように配置することで、両者を連結する。これにより、カーテン用駆動機構である駆動モータ２００を駆動して、駆動ロープ１４０を一方向又は他方向に移動させることにより、先導パイプ１１１１，１２１が該駆動ロープ１４０の動作方向に移動し、カーテン１１０，１２０を開閉動作させる。
【００２１】
カーテン用駆動機構である駆動モータ２００は、制御手段３００によって駆動制御される。制御手段３００はコンピュータからなり、温室内に設置された温度、湿度、二酸化炭素量、日射量などを測定する各種の温室内センサ４００、風速、風向、降雨量などの温室外気象を観測する外気象センサ５００からのデータを受信可能になっている。そして、受信したデータに基づき、温室に備えられた各種の機構、例えば、上記したカーテン１１０，１２０のほか、天井部や側部に設けられる換気窓２５０、給排水設備、冷暖房機構などを制御する。カーテン１１０，１２０に関しては、制御手段３００は、基本的機能として、温室内の温度、日照条件に基づいて、カーテン用駆動機構である駆動モータ２００を駆動制御して開閉制御するようになっている。なお、カーテン１１０，１２０が、保温用、遮光用、あるいは両機能を兼用したものなのど、それらの性能によって、制御のタイミングなどが様々であることはもちろんである。
【００２２】
本実施形態の制御手段３００は、このような通常の制御機能に加えて、図４に示したように、風速判定手段３１０、時間測定手段３２０、駆動機構制御手段３３０を有しており、制御手段３００にインストールされたコンピュータプログラムが、風速判定手順、時間測定手順、駆動機構制御手順等を実行して、コンピュータを上記各手段として機能させる。
【００２３】
風速判定手段３１０は、外気象センサ５００から風観測データを受信し、風速が設定値（Ｖ１）以上か否かを判定する。設定値（Ｖ１）は、例えば、換気窓２５０から流入することによってカーテン１１０，１２０が煽られて駆動ロープ１４０に巻き込まれるような事態が生じないようなレベルで、現場毎に、栽培植物の種類、温室の大きさ等を考慮して適宜に設定される。例えば、風速１５ｍ／ｓといったように設定することができる。
【００２４】
時間測定手段３２０は、風速判定手段３１０において、風速が上記の設定値（Ｖ１）以上と判定された場合に、この設定値以上の風速の継続時間を測定する手段である。継続時間の測定は、風の強弱の頻度が激しい場合に反応してしまわないように、すなわち、瞬間的な強風が吹いたもののその後速やかに風速が低下した場合、温室内のカーテン１１０，１２０が煽られることなくも多くなく、また、煽られても速やかに収まれば機器への支障を来す可能性も低い。そこで、設定値（Ｖ１）以上の風速がある程度の時間継続した場合に、カーテン１１０，１２０への影響があるものと判断するために継続時間を測定する。カーテン１１０，１２０への影響があるものと判断する継続時間は、上記の風速の場合と同様に、現場毎に、栽培植物の種類、温室の大きさ等を考慮して適宜に設定される。例えば、数秒から数十秒の範囲で設定される。
【００２５】
駆動機構制御手段３３０は、時間測定手段３２０により、上記の継続時間が、予め設定された設定時間（Ｔ１）に至ったと判定された場合に、カーテン用駆動機構である駆動モータ２００の駆動を制御する信号を出力する。カーテン１１０，１２０は、温室内に強風が流入して煽られ、煽られながら移動し続けることで、駆動ロープ１３０に巻き込まれる易くなる。従って、駆動機構制御手段３３０は、カーテン１１０，１２０をその開閉位置に拘わらず停止させる信号を駆動モータ２００に対して出力する手段であることが好ましい。
【００２６】
ここで、時間測定手段３２０は、カーテン１１０，１２０の駆動モータ２００に対して、駆動機構制御手段３３０から停止信号が出力されたならば、停止時間を測定する機能を有することが好ましい。そして、時間測定手段３２０により、駆動モータ２００の停止時間が、予め設定された設定停止時間（Ｔ２）を経過したと判定したならば、風速判定手段３１０による風速の判定を再度行わせる機能を有することが好ましい。すなわち、カーテン１１０，１２０が所定の設定停止時間（Ｔ２）を経過した後、風速判定手段３１０において、風速が設定値（Ｖ１）未満と判定されたならば、その時点で、カーテン１１０，１２０の動きを再開するように駆動モータ２００に制御信号を出力する。その一方、風速判定手段３１０において、再度、設定値（Ｖ１）以上の風速と判定された場合には、そのまま駆動モータ２００の停止を続させる。
【００２７】
駆動機構制御手段３３０は、時間測定手段３２０により測定される設定値（Ｖ１）以上の風速の継続時間が設定時間（Ｔ１）に至った場合に、温室の換気窓２５０を所定の制限開度となるように、換気窓２５０用の駆動機構に制御信号を出力する機能を併用することもできる。制限開度は、任意に設定でき、典型的には、温室内への強風が流入しないように全閉状態とすることが好ましいが、強風が流入しないような角度だけ開いた状態となるような制御も可能である。上記のように、本実施形態では、設定値（Ｖ１）以上の風速の風が設定時間（Ｔ１）以上継続したならば、カーテン用駆動機構である駆動モータ２００に制御信号が出力され、カーテン１１０，１２０の開閉動作が停止されるが、換気窓２５０用の駆動機構の制御は、このカーテン１１０，１２０の制御と共に行うことが好ましい。これにより、例えば、換気窓２５０用の駆動機構の制御によって、温室内への強風が流入しなくなった場合には、カーテン用駆動機構の駆動モータ２００に駆動信号を出力し、カーテン１１０，１２０の開閉動作を通常通り、すなわち、温室内温度や日照条件に従って駆動させるように制御することができる。
【００２８】
次に、本実施形態の作用を図５のフローチャートに基づき説明する。まず、制御手段３００に、温室内に流入してカーテン１１０，１２０を煽って機器等に支障を来すと判定する風速、当該所定の風速の継続時間、カーテン用駆動機構である駆動モータ２００の停止時間を含む条件をオペレータが入力する（Ｓ１００）。例えば、風速の設定値（Ｖ１）を１５ｍ／ｓ、当該風速の継続時間の設定時間（Ｔ１）を２０秒、駆動モータ２００の設定停止時間（Ｔ２）を６０秒と入力する。
【００２９】
次に、制御手段３００は、時間測定手段３２０において所定以上の風速に至った場合の継続時間をカウントするため、事前準備として、上記の入力された「Ｔ１＝２０秒」をタイマセットする（Ｓ１０１）。なお、本実施形態では、時間測定手段３２０は、Ｓ１０１の工程において、設定時間（Ｔ１）がタイマセットされない限り、カウントダウンを開始しないようになっている。但し、これはあくまで一例であり、所定以上の風速の継続時間を測定する手法は限定されるものではない。
【００３０】
外気象センサ５００によって計測される風速を含む風観測データは、随時（例えば、数秒毎に）送信され、制御手段３００において受信される。制御手段３００の風速判定手段３１０は、受信した風速データを設定値（Ｖ１）と随時（例えば、数秒毎に）比較する（Ｓ１０２）。比較の結果、風速が設定値（Ｖ１）未満の場合には、Ｓ１０１のタイマセットの工程、Ｓ１０２の風速判定の工程を引き続き実施するが、前回の判定によって、換気窓２５０及び温室用カーテン開閉装置の各駆動機構が停止状態となっている場合には、換気窓２５０の駆動機構に、駆動機構制御手段３３０から、制限を解除する旨の信号を出力し（Ｓ１０３）、さらに、温室用カーテン開閉装置のカーテン用駆動機構である駆動モータ２００に、停止信号を解除させる信号を駆動機構制御手段３３０から出力する（Ｓ１０４）。なお、この点については、さらに後述する。
【００３１】
風速判定手段３１０が、Ｓ１０２において、風速が設定値（Ｖ１）以上と判定した場合には、時間測定手段３２０が、Ｓ１０５において、設定時間（Ｔ１）が所定の値（上記の例では「２０秒」）になっているか、すなわち、「Ｔ１＞０秒」であるか否かを判定する。上記のように、最初の動作の際、並びに、Ｓ１０２において風速が設定値（Ｖ１）未満と判定された際に、Ｓ１０１において設定時間（Ｔ１）がセットされるが、前回既に強風と判定され駆動制御されている場合には、後述の設定停止時間（Ｔ２）経過後、Ｓ１０２において風速の判定が再度なされ、その際、風速が引き続き設定値（Ｖ１）以上の場合には、Ｓ１０１の工程を経ないため、タイマセットされず、「Ｔ１＞０秒」とはならないことから、Ｓ１０５の工程では「Ｎｏ」と判定される。
【００３２】
Ｓ１０５において、「Ｔ１＞０秒」と判定された場合には、時間測定手段３２０は、この例では２０秒から０秒なるまでカウントダウンを実施する（Ｓ１０６）。そして、時間測定手段３２０は、「Ｔ１＝０秒」となるかどうかを判定する（Ｓ１０７）。「Ｔ１＝０秒」に至る前に、風速判定手段３１０により、風速が設定値（Ｖ１）未満に至ったと判定された場合には、時間測定手段３２０はカウントダウンを停止する。それにより、Ｓ１０７の工程では「Ｎｏ」となり、Ｓ１０３の工程に戻る。
【００３３】
時間測定手段３２０により、継続時間が２０秒に至った場合、すなわち、Ｓ１０７において「Ｔ１＝０秒」と判定された場合には、その判定結果が駆動機構制御手段３３０に伝達される。駆動機構制御手段３３０は、それにより、換気窓２５０用の駆動機構に換気窓２５０を制限開度（全閉、あるいは、所定以下の開度）に制御する信号を出力する（Ｓ１０８）。この際、本実施形態では、駆動機構制御手段３３０が、強風時において換気窓２５０を制御するだけでなく、Ｓ１０８の工程で換気窓２５０の制御信号を出力する際、それと同時に、あるいは、その前又は後のタイミングで、温室用カーテン開閉装置のカーテン用駆動機構である駆動モータ２００に、停止信号を出力する（Ｓ１０９）。
【００３４】
停止信号により、温室用カーテン開閉装置１００の駆動モータ２００の駆動が停止すると、各カーテン１１０，１２０は、いずれの位置であっても、開閉動作が停止されることになる。これにより、換気窓２５０から流入する風によってカーテン１１０，１２０が煽られても、カーテン１１０，１２０は停止した状態であるため、駆動ロープ１３０に巻き込まれることがなくなり、駆動モータ２００に過剰負荷がかかって支障を来すようなことがなくなる。
【００３５】
温室用カーテン開閉装置１００の動作が停止した場合、時間測定手段３２０はその停止時間のカウントを開始すべく、上記入力された設定停止時間（Ｔ２）をタイマセットする（Ｓ１１０）。時間測定手段３２０は、引き続き、駆動モータ２００の停止時間を、予め設定された設定停止時間（Ｔ２）（この例では６０秒）からカウントダウンし（Ｓ１１１）、「Ｔ２＝０秒」に至るか否かを判定する（Ｓ１１２）。「Ｔ２＝０秒」に至るまでは（すなわち、Ｓ１１２で「Ｎｏ」と判定される間）は、Ｓ１０８の換気窓２５０の制限、Ｓ１０９の駆動モータ２００の停止が維持される。「Ｔ２＝０秒」に至った場合（Ｓ１１２で「Ｙｅｓ」の場合）は、Ｓ１０２の工程に戻り、風速判定手段３１０による風速の判定が再度行われる。その結果、風速が設定値（Ｖ１）未満と判定された場合、駆動機構制御手段３３０は、Ｓ１０３において、換気窓２５０用の駆動機構に対して開度の制限を解除する信号を出力し、Ｓ１０４において、温室用カーテン開閉装置に対して駆動モータ２００の駆動停止を解除する信号を出力して、カーテン１１０，１２０の開閉動作を再開させる。
【００３６】
一方、Ｓ１０２において、依然として風速が設定値（Ｖ１）以上と判定された場合には、設定時間（Ｔ１）のタイマセットがなされずに（Ｓ１０１の工程を経ることなく）、時間測定手段３２０により「Ｔ１＞０」（Ｓ１０５）、「Ｔ１＝０」（Ｓ１０７）と判定されて、引き続き、駆動機構制御手段３３０による駆動制御が継続される。
【００３７】
なお、上記実施形態では、風速の設定値（Ｖ１）、継続時間の設定時間（Ｔ１）、設定停止時間（Ｔ２）のいずれも、オペレータが入力する構成としているが、例えば、風速の設定値（Ｖ１）を入力すれば、設定時間（Ｔ１）及び設定底時間（Ｔ２）のいずれか少なくとも一方が、風速の設定値（Ｖ１）に応じて、所定の計算式や表を参照するなどして制御手段３００が自動的に数値を算出してＴ１，Ｔ２を設定するようにすることも可能である。
【００３８】
本実施形態によれば、温室外の風速のデータを、温室内に配置されたカーテンの駆動を制御する一つの指標として用いている。このため、温室内において温度や日照条件によって制御されているカーテンが、温室外の強風の影響で、不用意に煽られ、温室用カーテン開閉装置等に支障を来すことを防止できる。
【００３９】
なお、上記実施形態では、温室用カーテン開閉装置として、妻面側から見て屋根部が山型の温室に適用する場合について説明を行ったが、屋根部が略水平の平屋根の温室に本発明を適用することもできるし、カーテンが接近方向に向かって山型に張られる場合に限らず、水平に張られるものにも本発明を適用することができる。
【符号の説明】
【００４０】
１００  温室用カーテン開閉装置
１１０，１２０  カーテン
２００  駆動モータ
２５０  換気窓
３００  制御手段
３１０  風速判定手段
３２０  時間測定手段
３３０  駆動機構制御手段
４００  温室内センサ
５００  外気象センサ
【図１】
0006420986.tif 000002
【図２】
0006420986.tif 000003
【図３】
0006420986.tif 000004
【図４】
0006420986.tif 000005
【図５】
0006420986.tif 000006